(57)【要約】【課題】誰でも簡単に美しく張ることができる折り畳み式の衝立を提供する。【解決手段】衝立は、ベース体と、基端がベース体に回動可能に軸支された２本の回動ロッドと、２本の回動ロッドを間にして互いに反対側の位置において、基端がベース体に回動可能に軸支された二本の回動バーと、４隅が回動ロッドおよび回動バーのそれぞれの先端に引っ掛かるようになっているストレッチ性の織編み物と、二本の回動ロッドの基端寄りに挟み込まれ、二本の回動ロッドの先端が離間して開くようにこの二本の回動ロッドをＶ字状に開く突っ張り棒と、二本の回動バーを互いに反対方向に開いた状態にそれぞれ押える二つのバーストッパと、を備える。【選択図】図１
2017000188.tif 000002
【特許請求の範囲】
【請求項１】
ベース体と、
基端が前記ベース体に回動可能に軸支された２本の回動ロッドと、
前記２本の回動ロッドを間にして互いに反対側の位置において、基端が前記ベース体に回動可能に軸支された二本の回動バーと、
４隅が前記回動ロッドおよび前記回動バーのそれぞれの先端に引っ掛かるようになっているストレッチ性の織編み物と、
前記二本の回動ロッドの基端寄りに挟み込まれ、前記二本の回動ロッドの先端が離間して開くようにこの二本の回動ロッドをＶ字状に開く突っ張り棒と、
前記二本の回動バーを互いに反対方向に開いた状態にそれぞれ押える二つのバーストッパと、を備える
ことを特徴とする衝立。
【請求項２】
請求項１に記載の衝立において、
前記突っ張り棒で二本の回動ロッドをＶ字に開き、さらに、前記二つのバーストッパで前記二つの回動バーを押えた状態で、前記回動ロッドおよび回動バーの先端を結んだ面積と、前記織編み物の面積と、を比べたとき、
前記織編み物の面積が一回り小さい
ことを特徴とする衝立。
【請求項３】
請求項１または請求項２に記載の衝立において、
前記織編み物は、袋状である
ことを特徴とする衝立。
【請求項４】
請求項１から請求項３のいずれかに記載の衝立において、
前記突っ張り棒は、ヒンジによって前記ベース体の側面に連結されている
ことを特徴とする衝立。
【請求項５】
請求項１から請求項４のいずれかに記載の衝立において、
前記バーストッパは、ヒンジによって前記ベース体の側面に連結されている
ことを特徴とする衝立。
【請求項６】
請求項１から請求項５のいずれかに記載の衝立において、
前記二本の回動ロッドのそれぞれの先端に前記織編み物の２隅を引っ掛けた状態で、
前記突っ張り棒を前記二本の回動ロッドの間に差し込んだとき、
前記突っ張り棒を支点とし、前記二本の回動ロッドのそれぞれの先端を力点として、前記二本の回動ロッドの回転軸に互いに反対向きの力が掛かり、
前記二本の回動ロッドが前記突っ張り棒を間にして対称になるように立ち上がり、その位置および姿勢が決まる
ことを特徴とする衝立。
【請求項７】
請求項１から請求項６のいずれかに記載の衝立において、
前記ベース体は、長手方向に沿って両端開口の溝条を有する棒状体である
ことを特徴とする衝立。
【請求項８】
請求項１から請求項７のいずれかに記載の衝立において、
前記ベース体の下面には、Ｌ字状の足が回転可能に軸支されている
ことを特徴とする衝立。
【発明の詳細な説明】
【技術分野】
【０００１】
本発明は衝立に関する。
【背景技術】
【０００２】
室内に立てて部屋を仕切ったり目隠ししたりするために衝立が使用される。
ところで、近年、一般の居宅で介護することが多くなっている。そのような場合、着替えであったり体を拭いたりするに際し、簡単に出したり仕舞ったりできる衝立が求められている。
【０００３】
これまでにも組立て式や折りたたみ式のカーテンが提案されている（例えば特許文献１、２）。
【先行技術文献】
【特許文献】
【０００４】
【特許文献１】特開平１１―２９９６１１号公報
【特許文献２】実開平７−３９６３４号公報
【発明の概要】
【発明が解決しようとする課題】
【０００５】
特許文献１、２は、組立て式あるいは折り畳み式の自立カーテンである。カーテンにも良い点があることは認めるが、やはり問題もいくつか指摘される。
【０００６】
例えば、特許文献１、２にあるようにカーテン地を吊り下げると、カーテン地がだらしなく垂れ下がった感じになってしまうであろう。折り畳み式や組立て式とするとカーテン地はしわくちゃになってしまって、そのようなものが部屋に置かれていると、なにやら粗略で陰気な感じを与えてしまうとも思われる。カーテン地の４隅や辺を丁寧に引っ張って留めればある程度シワは伸びるかもしれないが、やはり限界がある。それに、居宅介護で毎回そのような作業をしていられないという事情もあるだろう。
【０００７】
本発明の目的は、誰でも簡単に美しく張ることができる折り畳み式の衝立を提供することにある。
【課題を解決するための手段】
【０００８】
本発明の衝立は、
ベース体と、
基端が前記ベース体に回動可能に軸支された２本の回動ロッドと、
前記２本の回動ロッドを間にして互いに反対側の位置において、基端が前記ベース体に回動可能に軸支された二本の回動バーと、
４隅が前記回動ロッドおよび前記回動バーのそれぞれの先端に引っ掛かるようになっているストレッチ性の織編み物と、
前記二本の回動ロッドの基端寄りに挟み込まれ、前記二本の回動ロッドの先端が離間して開くようにこの二本の回動ロッドをＶ字状に開く突っ張り棒と、
前記二本の回動バーを互いに反対方向に開いた状態にそれぞれ押える二つのバーストッパと、を備える
ことを特徴とする。
【０００９】
本発明では、
前記突っ張り棒で二本の回動ロッドをＶ字に開き、さらに、前記二つのバーストッパで前記二つの回動バーを押えた状態で、前記回動ロッドおよび回動バーの先端を結んだ面積と、前記織編み物の面積と、を比べたとき、
前記織編み物の面積が一回り小さい
ことが好ましい。
【００１０】
本発明では、
前記織編み物は、袋状である
ことが好ましい。
【００１１】
本発明では、
前記突っ張り棒は、ヒンジによって前記ベース体の側面に連結されている
ことが好ましい。
【００１２】
本発明では、
前記バーストッパは、ヒンジによって前記ベース体の側面に連結されている
ことが好ましい。
【００１３】
本発明では、
前記二本の回動ロッドのそれぞれの先端に前記織編み物の２隅を引っ掛けた状態で、
前記突っ張り棒を前記二本の回動ロッドの間に差し込んだとき、
前記突っ張り棒を支点とし、前記二本の回動ロッドのそれぞれの先端を力点として、前記二本の回動ロッドの回転軸に互いに反対向きの力が掛かり、
前記二本の回動ロッドが前記突っ張り棒を間にして対称になるように立ち上がり、その位置および姿勢が決まる
ことが好ましい。
【００１４】
本発明では、
前記ベース体は、長手方向に沿って両端開口の溝条を有する棒状体である
ことが好ましい。
【００１５】
本発明では、
前記ベース体の下面には、Ｌ字状の足が回転可能に軸支されている
ことが好ましい。
【図面の簡単な説明】
【００１６】
【図１】衝立１００を立てた状態を示す図である。
【図２】回動ロッドが回動する様子を分かりやすく示す図である。
【図３】回動バーが回動する様子を分かりやすく示す図である。
【図４】（ａ）はフレーム部を上方から見た図である。（ｂ）はフレーム部を側方から見た図である。（ｃ）は（ｂ）中のＡ−Ａ線断面図である。（ｄ）は（ｂ）中のＢ−Ｂ線断面図である。
【図５】フレーム部の斜視図である。
【図６】（ａ）はＶ字ストッパを示す図である。（ｂ）はバーストッパを示す図である。
【図７】（ａ）は脚部を示す図である。（ｂ）は衝立１００を壁際に立たせた様子を示す図である。
【図８】ニットを示す図である。
【図９】衝立の組立て手順を説明するための図である。
【図１０】衝立の組立て手順を説明するための図である。
【図１１】衝立の組立て手順を説明するための図である。
【図１２】衝立の組立て手順を説明するための図である。
【図１３】衝立の組立て手順を説明するための図である。
【図１４】衝立の組立て手順を説明するための図である。
【図１５】応用例を例示する図である。
【図１６】応用例を例示する図である。
【図１７】応用例を例示する図である。
【発明を実施するための形態】
【００１７】
本発明の実施形態を図示するとともに図中の各要素に付した符号を参照して説明する。
（第１実施形態）
本発明に係る衝立１００の実施形態を図１から図１３を参照して説明する。
図１は、組み上がった衝立１００を立てた状態を示す図である。
衝立１００は、フレーム部２００と、遮蔽部４００と、を有する。
【００１８】
まず、フレーム部２００について説明する。
フレーム部２００は、ベース体２１０と、遮蔽部４００を支持する４本のポール２５０、２５０、２７０、２７０と、ポール２５０、２５０、２７０、２７０を止める３つのストッパ３１０、３３０、３３０と、全体を支える脚部２４０と、を有する。
【００１９】
ベース体２１０は、横方向に長手方向を有する棒状体であって、長手方向に直交する面で断面したとき、その断面がコ字状になっている。
説明が分かりやすいように、図１中の左から右にＸ軸をとり、下から上にＺ軸をとる。
ベース体２１０をＸ軸に平行に配置したとき、Ｘ方向の両端と、上方向（プラスＺ方向）と、が開口している。言い換えると、ベース体２１０は、長手方向に沿って両端開口の溝条２２０を有する棒状体といってもよい。
【００２０】
ポール２５０、２５０、２７０、２７０について説明する。
ポール２５０、２５０、２７０、２７０は、ベース体２１０に軸支されている。
４本のポール２５０、２５０、２７０、２７０は、その機能から２組に分類でき、４本のポール２５０、２５０、２７０、２７０を、２本の回動ロッド２５０、２５０と、２本の回動バー２７０、２７０と、にわけて説明する。
【００２１】
２本の回動ロッド２５０は、ともに同じ長さである。
回動ロッド２５０の長さが衝立１００の高さ（遮蔽部４００の高さ）をほぼ決定する。具体的には、略矩形の遮蔽部４００を構成するとき、遮蔽部４００の下辺の（略）中点から上の頂点までの長さが回動ロッド２５０の長さに略等しい。衝立１００の高さ（遮蔽部４００の高さ）をどの程度にしたいかに応じて回動ロッド２５０の長さを設計する。
【００２２】
二本の回動ロッド２５０のいずれも、その基端２５１がベース体２１０に回動可能に軸支されている。
図２は、回動ロッド２５０が回動する様子を分かりやすく示す図である。
（分かりやすいように、図２では回動バー２７０を削除してある。）
回動ロッド２５０の回転軸２５３は、ベース体２１０の長手方向の略中央部にある。
（回動ロッド２５０の回転軸２５３は、例えば、図４、図５、図６によく表れているので参照されたい。）
【００２３】
なお、本実施形態では、二本の回動ロッド２５０、２５０は同軸ではなく、別々の回転軸２５３、２５３で軸支されている。つまり、ベース体２１０の中点を間にして、わずかに左側とわずかに右側とにそれぞれ回転軸２５３、２５３が設けられている。
回動ロッド２５０、２５０の基端２５１、２５１がベース体２１０の溝２２０の内側に受け入れられ、前記回転軸２５３、２５３により回動ロッド２５０、２５０がそれぞれ回動可能に軸支されている。
【００２４】
２本の回動ロッド２５０、２５０は、畳もうと思えば（閉じようと思えば）、図２の二点鎖線のように、２本の回動ロッド２５０、２５０がほぼ並んで上向き（Ｚ軸に平行）に起立した状態になる。
また、２本の回動ロッド２５０、２５０は、開こうと思えば、図２の実線のように、Ｖ字を構成するように開く。
【００２５】
次に回動バー２７０、２７０を説明する。
回動バー２７０、２７０は、ともに同じ長さである。回動バー２７０、２７０の長さは、衝立１００の横幅（遮蔽部４００の横幅）をほぼ決定する。具体的には、二本の回動バー２７０、２７０の長さを合わせたものが衝立１００の横幅（遮蔽部４００の横幅）にほぼ匹敵する。
衝立１００の横幅（遮蔽部４００の横幅）をどの程度にしたいかに応じて回動バー２７０の長さを設計する。
【００２６】
二本の回動バー２７０、２７０のいずれも、その基端２７１がベース体２１０に回動可能に軸支されている。
図３は、回動バー２７０が回動する様子を分かりやすく示す図である。
（分かりやすいように、図３では回動ロッド２５０、２５０を削除してある。）
【００２７】
回動バー２７０、２７０は２本あるところ、回動ロッド２５０、２５０を間にして左側と右側とにそれぞれ配設されている。つまり、回動ロッド２５０、２５０の回転軸２５３、２５３を間にして、左側に一の回転軸２７３が設けられ、右側に他の回転軸２７３が設けられている。
前記左側の回転軸２７３にて一の回動バー２７０が軸支され、前記右側の回転軸２７３にて他の回動バー２７０が軸支されている（例えば図５参照）。
【００２８】
２本の回動バー２７０、２７０は、畳もうと思えば（閉じようと思えば）、図３の二点鎖線のように、２本の回動ロッド２５０、２５０を間に挟んで、上向き（Ｚ軸に平行）に起立した状態になる。
また、２本の回動バー２７０、２７０は、開こうと思えば、図３の実線のように、ベース体２１０の溝２２０に入りながら、１８０度に開く。
なお、回動バー２７０、２７０が１８０度に開いたときには、先端２７２、２７２がベース体２１０より突き出る。
【００２９】
なお、回動バー２７０、２７０の途中には、直方体状の駒を外嵌し、部分的に径大になる節部２７４、２７４を設けている。
【００３０】
三つのストッパ３１０、３３０、３３０について説明する。
三つのストッパ３１０、３３０、３３０は、ベース体２１０の側面にヒンジ３１２、３３２、３３２で取り付けられている。
三つのストッパ３１０、３３０、３３０は、その機能から二組に分類できる。三つのストッパ３１０、３３０、３３０を、一つのＶ字ストッパ３１０と、二つのバーストッパ３３０、３３０と、に分けて説明する。
【００３１】
Ｖ字ストッパ３１０は、二本の回動ロッド２５０、２５０の間に差し込まれ、二本の回動ロッド２５０、２５０が閉じないようにするためのストッパである。Ｖ字ストッパ３１０は、Ｌ字回転板３１１と、ヒンジ３１２と、突っ張り棒３１３と、を有する。
【００３２】
Ｌ字回転板３１１は、側方視、Ｌ字状の板材である。
Ｌ字回転板３１１は、ベース体２１０の長手方向の略中央部で、ベース体２１０の側面に連結されている。
このとき、Ｌ字回転板３１１のＬ字の頭部がヒンジ３１２によってベース体２１０の側面の上辺に連結されている（例えば図４（ｃ）を参照されたい）。
ヒンジ３１２によってＬ字回転板３１１が回転すると、図４（ｃ）の二点鎖線で示すように、Ｌ字回転板３１１がベース体２１０の上に逆Ｌ字状に被さるようになり、Ｌ字の脚がベース体２１０の真上にくるようになる。
なお、Ｌ字の脚とベース体２１０との間には、Ｌ字の胴体部分の長さ分のギャップが確保されることになる。
【００３３】
突っ張り棒３１３は、Ｌ字回転板３１１の脚に取り付けられている。
突っ張り棒３１３の長さは、Ｌ字回転板３１１の幅よりも若干長い。
Ｌ字回転板３１１が回転してベース体２１０の直上に来たときに、突っ張り棒３１３は二本の回動ロッド２５０、２５０の間に挟まれるものである（例えば５、図６を参照されたい）。そして、突っ張り棒３１３の長さが回動ロッド２５０、２５０のＶ字の開き角を規定する。
言い換えると、突っ張り棒３１３の長さは、二本の回動ロッド２５０、２５０の先端２５２、２５２同士の距離（間隔）を規定することになる。
【００３４】
次に、バーストッパ３３０、３３０について説明する。
バーストッパ３３０、３３０は、１８０度に開いた回動バー２７０、２７０が閉じないように押さえておくためのストッパである。
一方のバーストッパ３３０はベース体２１０の左端寄りに設けられ、他方のバーストッパ３３０はベース体２１０の右端寄りに設けられている。
バーストッパ３３０は、Ｌ字押え板３３１と、ヒンジ３３２と、を有する。
Ｌ字押え板３３１は、側方視、Ｌ字状の板材である。Ｌ字押え板３３１は、Ｌ字の頭部がヒンジ３３２によってベース体２１０の側面の下辺に連結されている。
ヒンジ３３２によってＬ字押え板３３１が回転すると、図３（ｄ）の二点鎖線で示すように、Ｌ字押え板３３１がベース体２１０の上に逆Ｌ字状に被さるようになり、Ｌ字の脚がベース体２１０の直上にくるようになる。
Ｌ字の胴体部分の長さをベース体２１０の側面の高さと略同じにしてあるので、Ｌ字の脚がベース体２１０の直上に覆い被さるようになる。
【００３５】
回動バー２７０、２７０をベース体２１０の溝２２０に押し込むように１８０度に開き、バーストッパ３３０、３３０を回転させて回動バー２７０、２７０に被せるようにする。このとき、回動バー２７０、２７０の節部２７４、２７４の位置がバーストッパ３３０、３３０の位置に対応する。
【００３６】
次に、脚部２４０、２４０を説明する。
脚部２４０、２４０は、ベース体２１０の下部に設けられている。
脚部２４０、２４０は、ベース体２１０の下部において、左側と右側とにそれぞれ設けられている。
左側の脚部２４０と右側の脚部２４０とは同じ構造ある。脚部２４０は、角パイプ２４１と、Ｌ字足２４２と、を有する。角パイプ２４１がベース体２１０の下面に取り付けられ、さらに、角パイプ２４１の下面にＬ字足２４２が取り付けられている。
【００３７】
このとき、Ｌ字足２４２は、回転軸によって回転可能に角パイプ２４１に取り付けられている（図７（ａ）参照）。
Ｌ字足２４２の向きを調整することにより、例えば、図７（ｂ）のように、衝立１００を壁際に立たせることもできる。
【００３８】
次に、遮蔽部４００を説明する。
遮蔽部４００はニット４１０（織編み物）で構成されている。
ニット４１０は、図８に示すように、略矩形の袋状に編まれた織編物であり、ストレッチ性を有する。
ストレッチ性を有する織編物としては、伸縮性のある繊維で目ずれのないように織成された織物であってもよい。あるいは、トリコット編地などの編物のようにストレッチ性をもつように編んだ物でもよい。
【００３９】
ニット４１０は、４本のポール（二本の回動ロッド２５０、２５０、二本の回動バー２７０、２７０）に被せられるものであるが、４本のポール（二本の回動ロッド２５０、２５０、二本の回動バー２７０、２７０）の先端２５２、２５２、２７２、２７２を結んでできる四角形よりも一回り小さいサイズに作っておく。すなわち、ニット４１０が遮蔽部４００として張られたとき、ニット４１０は少し伸ばされた状態で張られることになる。
【００４０】
なお、袋状のニット４１０の口のところには、口を閉じるための面ファスナー４４０が設けられている。
【００４１】
（組立て手順）
さて、このような構成を有する衝立１００の組み立て手順を順に説明する。
まず、図９、そして図１０に示すように、閉じている回動ロッド２５０、２５０および回動バー２７０、２７０の上からニット４１０を被せる。ニット４１０部を被せると図１１のようになる。
【００４２】
回動ロッド２５０、２５０や回動バー２７０、２７０自体には回転を規制するものは特にはないので、図１１の状態では、回動ロッド２５０、２５０や回動バー２７０、２７０はただ自由に開こうとするだけである。
ただ、二本の回動ロッド２５０、２５０はそれぞれニット４１０の隅に引っ掛かるので完全に倒れ込むことはない。
そうはいっても、二本の回動ロッド２５０、２５０は均等にＶ字に開くということはなく、どちらかに倒れたようになる可能性もある。
この段階ではそれでよいのである。
【００４３】
次に、図１２にあるように、Ｖ字ストッパ３１０を回転させて、突っ張り棒３１３を２本の回動ロッド２５０、２５０の間に押し入れるようにする。
ここで、回動ロッド２５０、２５０の先端２５２、２５２はニット４１０の隅に引っ掛かっている。
このとき、ニット４１０がやや小さく設計されているので、回動ロッド２５０、２５０の開きは突っ張り棒３１３の幅よりもやや狭い。そこで、若干力を入れて、Ｌ字回転板３１１を押し、突っ張り棒３１３を２本の回動ロッド２５０、２５０の間に押し入れる。
【００４４】
このようにＶ字ストッパ３１０を回動ロッド２５０、２５０の間に押し入れると、回動ロッド２５０、２５０が開くように力が掛かる（図１２中の矢印Ａ）。
しかし一方で、ニット４１０が縮もうとする復元力により、回動ロッド２５０、２５０の先端２５２、２５２には閉じる方向に力が掛かる（図１２中の矢印Ｂ）。すると、突っ張り棒３１３を支点とし、回動ロッド２５０、２５０の先端２５２、２５２を力点として、左右の回動ロッド２５０、２５０の回転軸２５３、２５３には図１２中の矢印Ｃのように外側に向けて力が掛かる。
【００４５】
このように左右の回動ロッド２５０、２５０の回転軸２５３、２５３に互いに反対向きである外向きの力（矢印Ｃ）が掛かると、お互いに最も安定した位置に移動しようとするから、左右の回動ロッド２５０、２５０は自ずとＶ字ストッパ３１０を間にして対称になるように立ち上がり、そして、その位置および姿勢がしっかりと決まる。
【００４６】
また、ニット４１０の上辺に注目すると、二本の回動ロッド２５０、２５０の先端２５２、２５２によってニット４１０の上辺が伸ばされ、テンションが掛かったように張りをもった状態になる。
【００４７】
続いて、図１３に示すように、二本の回動バー２７０、２７０を１８０度に開くように押し開きつつ、バーストッパ３３０、３３０を回動させて回動バー２７０、２７０をベース体２１０の溝２２０内に押し込めるようにする。
このとき、ニット４１０部の側辺（サイド側の辺）に注目すると、ニット４１０がやや小さく設計されているので、回動ロッド２５０、２５０の先端２５２、２５２と回動バー２７０、２７０の先端２７２、２７２によってニット４１０の側辺は伸ばされ、テンションが掛かったように張りをもった状態になる。
【００４８】
なお、回動バー２７０、２７０は、ニット４１０により持ち上げられる方向に引っ張られるが（図１３中の囲み内参照）、バーストッパ３３０、３３０のヒンジ３３２、３３２は下から持ち上げられるだけでは回転しないので、バーストッパ３３０、３３０が外れて回動バー２７０、２７０が持ち上がるようなことはない。
【００４９】
最後に、図１４に示すように、ニット４１０の口の面ファスナー４４０をベース体２１０の下に回して留めれば衝立１００の完成である。
【００５０】
本実施形態によれば次の効果を奏する。
（１）ユーザが特段に見栄え良く張ろうと思わなくても、自然と綺麗に張れる。例えば、二本の回動ロッド２５０、２５０を綺麗に対称に立たせるにあたってユーザが面倒な角度調整など行う必要はない。
ニット４１０を被せた後、Ｖ字ストッパ３１０を回動ロッド２５０、２５０に挟み込むだけでよい。このとき、ニット４１０がストレッチ性を持っていることがキーポイントの一つである。
【００５１】
（２）遮蔽部４００となるニット４１０を綺麗に張るのにユーザがしわ伸ばしをしたり、辺を全部引っ張って留めたり、などといった面倒もない。
回動ロッド２５０、２５０および回動バー２７０、２７０をストッパ（Ｖ字ストッパ３１０、バーストッパ３３０、３３０）で留めてしまえば、自然とニット４１０が綺麗に張れる。
このとき、ニット４１０は、単にシワなく吊られている、といったものではなく、内側からの力で張りをもって張られている。引き締まった弾力感は見た目にすっきりした印象を与える。単純に目隠しとしての機能を果たすだけでなく、部屋のインテリアとしても遜色ない。
【００５２】
（応用例）
本実施形態の応用例を一つ例示しておく。
例えば図１７に示すように、二本の回動ロッド２５０、２５０の間に横梁５１０を渡し、この横梁５１０に何か吊すようにしてもよい。
図１７では、薄型のスピーカ５２０を吊した状態を例示している。
この横梁５１０は、図１５、図１６に示すように、中間の回転軸で折れ曲がるようにしておくと、回動ロッド２５０を閉じる際にも邪魔にならず、一緒に畳める。
【００５３】
なお、本発明は上記実施の形態に限られたものではなく、趣旨を逸脱しない範囲で適宜変更することが可能である。
上記実施形態では、ニットを袋状にして回動ロッドおよび回動バーに被せるとしたが、ニットの４隅と、前記回動ロッドおよび回動バーのそれぞれの先端と、が係り留めされていればよいと考えられる。したがって、ニットをシート状にして、四隅にフックや輪っか等の係合手段を付けておいて、回動ロッドおよび回動バーのそれぞれの先端に引っ掛けるようにしてもよい。
【符号の説明】
【００５４】
１００…衝立、
２００…フレーム部、
２１０…ベース体、２２０…溝、
２４０…脚部、２４１…角パイプ、２４２…Ｌ字足、
２５０…回動ロッド、２５３…回転軸、
２７０…回動バー、２７３…回転軸、
３１０…Ｖ字ストッパ、３１１…Ｌ字回転板、３１２…ヒンジ、３１３…突っ張り棒、
３３０…バーストッパ、３３１…Ｌ字押え板、３３２…ヒンジ、
４００…遮蔽部、４１０…ニット、４４０…面ファスナー、
５１０…横梁、５２０…スピーカ。
【図１】
2017000188.tif 000003
【図２】
2017000188.tif 000004
【図３】
2017000188.tif 000005
【図４】
2017000188.tif 000006
【図５】
2017000188.tif 000007
【図６】
2017000188.tif 000008
【図７】
2017000188.tif 000009
【図８】
2017000188.tif 000010
【図９】
2017000188.tif 000011
【図１０】
2017000188.tif 000012
【図１１】
2017000188.tif 000013
【図１２】
2017000188.tif 000014
【図１３】
2017000188.tif 000015
【図１４】
2017000188.tif 000016
【図１５】
2017000188.tif 000017
【図１６】
2017000188.tif 000018
【図１７】
2017000188.tif 000019